(57)【要約】【課題】無線通信システムにおける無線通信装置が、基地局装置と接続されるまでの基地局探索処理時間を短縮する。【解決手段】無線通信装置が、基地局装置から受信した受信信号に基づき、受信信号強度が基準値以上であるか、通信可能な通信方式であるか、受信品質が基準値以上であるか、利用可能な基地局であるかの４条件をこの条件順に調査し、全ての条件を満足する基地局装置を見出すと、該基地局装置を接続局に決定し、他の基地局の探索を打ち切る。【選択図】図２
2010178121.tif 000002
【特許請求の範囲】
【請求項１】
基地局装置との間で無線通信される信号を送受信する無線送受信部と、  
前記無線送受信部が受信した受信信号に基づいて有効な基地局装置を検索する基地局検索部と、  
前記無線送受信部の受信周波数を設定し、前記基地局検索部による基地局装置の検索処理を制御する検索制御部とを備え、  
前記基地局検索部が、  
前記無線送受信部で受信した受信信号の受信信号強度を測定する受信強度測定部と、  
前記受信信号の品質を測定する受信品質測定部と、  
前記受信強度測定部によって測定された受信信号強度が基準値以上であるか否かを判断する受信強度判断部と、  
前記受信強度判断部によって受信信号強度が基準値以上であると判断された受信信号に係る通信方式が通信可能な通信方式であるか否かを判断する通信方式判断部と、  
前記通信方式判断部によって通信可能な通信方式であると判断された受信信号の受信品質が基準値以上であるか否かを判断する受信品質判断部と、  
前記受信品質判断部によって受信品質が基準値以上であると判断された受信信号から得られる受信情報に基づいて、当該受信信号を送信した基地局装置が利用可能である前記有効な基地局装置であるか否かを判断する基地局判断部とを備えるとともに、  
前記検索制御部が、前記無線送受信部が受信可能な複数の受信周波数に対する検索処理を前記基地局検索部に一つずつ実行させ、前記基地局検索部によって前記有効な基地局装置が検索されなければ他の受信周波数に対する検索処理を実行させる一方、前記基地局検索部によって前記有効な基地局装置が検索されると当該基地局装置を通信相手に設定するとともに前記基地局検索部による検索処理を終了させることを特徴とする無線通信装置。
【発明の詳細な説明】
【技術分野】
【０００１】
本発明は、例えば、無線通信システムにおける無線通信装置に関し、特に、無線通信装置の基地局探索処理技術に関する。
【背景技術】
【０００２】
従来の無線通信装置、例えば、無線移動局装置の動作について説明する。  
在圏セルが存在しない状態（通信可能な基地局が存在しない状態）か、あるいは無線移動局装置の電源を入れて立ち上げる初期状態での動作時、もしくは、場所移動等による隣接基地局の変更時においては、該移動局装置の受信周波数を、その移動局装置が通信することのできる複数の周波数のうちの１つに設定し、基地局探索処理を開始する。そして、移動局装置が、ある基地局から受信した信号を、移動局装置に設定された受信周波数と一致する有効な信号として検出すると、該信号を送出した基地局を接続候補局として判定する。検出した信号が有効かどうかは、例えば、検出信号のキャリアレベル（ＲＳＳＩ）や受信品質（ＲＳＣＰやＥｃ／Ｉｏ）などの品質測定結果が、所定の基準値以上であるかどうかで判断することができる。ここで、ＲＳＳＩ（Ｒｅｃｅｉｖｅｄ  Ｓｉｇｎａｌ  Ｓｔｒｅｎｇｔｈ  Ｉｎｄｉｃａｔｏｒ）は、受信信号強度を表している。また、ＲＳＣＰ（Ｒｅｃｅｉｖｅｄ  Ｓｉｇｎａｌ  Ｃｏｄｅ  Ｐｏｗｅｒ）は、希望波受信電力を表している。また、Ｅｃ／Ｉｏは、（パイロットの受信電力／全ての受信電力）を表している。  
また、基地局から受信した報知情報を解析し、その報知情報を送信した基地局を接続可能な基地局と判断した場合は、その基地局を接続可能な基地局として移動局のメモリに登録する。報知情報には、報知情報を送出した基地局が、どの事業者の局であるか否かなどの情報が含まれている。
【０００３】
次に、移動局が通信可能である複数の周波数のうちの他の周波数に受信周波数を設定して、上記と同様の基地局探索処理動作を繰り返し、接続可能な基地局を探索する。こうして、移動局が通信可能である全ての周波数について探索処理を終了した後、接続可能な基地局として移動局のメモリに登録した複数の基地局のうち、最も接続するのに適した基地局を選定して接続を行う。最も接続するのに適した基地局かどうかは、受信信号強度や受信品質等により決定する。
【先行技術文献】
【特許文献】
【０００４】
【特許文献１】特開２０００−１５６６６２号公報
【０００５】
特開２０００−１５６６６２号公報には、複数の無線基地局装置から送信されてくる各受信信号に対し、それぞれの受信信号のレベルを測定し、受信信号のレベルが最大となった無線基地局装置を選定して接続することが開示されている。
【発明の概要】
【発明が解決しようとする課題】
【０００６】
しかしながら、上述のような従来の無線移動局装置の基地局探索処理においては、無線移動局装置に設定されうる周波数の範囲の全てを順番に探索するような動作となるので、基地局装置と接続するまでに多大な時間がかかるという問題があった。また、一般的に、基地局探索処理は、無線移動局装置の電力を多く消費する要因の１つである。無線移動局の電力供給手段はバッテリー等の蓄電器が主流であるため、無線移動局装置に設定されうる周波数の範囲の全てを順番に探索するような動作は、消費電力を増加させ、無線移動局装置の使用時間が短くなり、使用者の使い勝手に影響を与えることになる。
【０００７】
本発明は、このような従来の課題を解決するために為されたもので、効率的に基地局探索処理を行う無線通信装置を提供することを目的とする。
【課題を解決するための手段】
【０００８】
上記目的を達成するため、本発明では、無線通信装置を次のような構成とした。すなわち、  
基地局装置との間で無線通信される信号を送受信する無線送受信部と、  
前記無線送受信部が受信した受信信号に基づいて有効な基地局装置を検索する基地局検索部と、  
前記無線送受信部の受信周波数を設定し、前記基地局検索部による基地局装置の検索処理を制御する検索制御部とを備え、  
前記基地局検索部が、  
前記無線送受信部で受信した受信信号の受信信号強度を測定する受信強度測定部と、  
前記受信信号の品質を測定する受信品質測定部と、  
前記受信強度測定部によって測定された受信信号強度が基準値以上であるか否かを判断する受信強度判断部と、  
前記受信強度判断部によって受信信号強度が基準値以上であると判断された受信信号に係る通信方式が通信可能な通信方式であるか否かを判断する通信方式判断部と、  
前記通信方式判断部によって通信可能な通信方式であると判断された受信信号の受信品質が基準値以上であるか否かを判断する受信品質判断部と、  
前記受信品質判断部によって受信品質が基準値以上であると判断された受信信号から得られる受信情報に基づいて、当該受信信号を送信した基地局装置が利用可能である前記有効な基地局装置であるか否かを判断する基地局判断部とを備えるとともに、  
前記検索制御部が、前記無線送受信部が受信可能な複数の受信周波数に対する検索処理を前記基地局検索部に一つずつ実行させ、前記基地局検索部によって前記有効な基地局装置が検索されなければ他の受信周波数に対する検索処理を実行させる一方、前記基地局検索部によって前記有効な基地局装置が検索されると当該基地局装置を通信相手に設定するとともに前記基地局検索部による検索処理を終了させることを特徴とする無線通信装置。
【発明の効果】
【０００９】
本発明によれば、検索制御部が、無線移動局装置の受信周波数を、使用可能な複数の無線周波数の１つに設定し、該設定した受信周波数の信号を基地局装置から受信すると、前記受信強度判断部、前記通信方式判断部、前記受信品質判断部、前記基地局判断部に判断を行わせるように制御し、前記各判断部のいずれかにおいて、基地局装置と接続可能とするための判断基準を満足しない場合は、当該無線移動局装置の受信周波数を、前記記憶部に記憶した使用可能な他の無線周波数に設定して、前記各判断部に判断を行わせ、前記各判断部の全てにおいて、基地局装置と接続可能とするための判断基準を満足した場合は、該判断基準を満足した基地局装置と接続するとともに、他の基地局装置に対する基地局探索処理を終了するので、接続可能な基地局装置を全て探索する従来方法と比べて、基地局探索処理時間を短縮することができるとともに、基地局探索処理の消費電力を低減することができる。
【図面の簡単な説明】
【００１０】
【図１】本発明に係る無線通信システムの構成例を示す図である。
【図２】本発明に係る無線通信装置の構成例を示す図である。
【図３】本発明に係る無線通信装置における基地局探索処理の一例を示す図である。
【図４】本発明の実施例における、移動局周辺の基地局の状況を示す図である。
【発明を実施するための形態】
【００１１】
図１は、本発明に係る無線通信システムの構成例を示す図である。  
本例に係る無線通信システムは、ＤＳ−ＣＤＭＡ（Ｄｉｒｅｃｔ  Ｓｐｒｅａｄ  Ｃｏｄｅ  Ｄｉｖｉｓｉｏｎ  Ｍｕｌｔｉｐｌｅ  Ａｃｃｅｓｓ）方式を採用したものであって、無線移動局装置１１と、基地局装置１２と、交換局１３と、公衆網１４により構成されており、無線移動局装置１１は、基地局装置１２との間で電波を媒体として、音声やパケットデータ等の通信を行う。本例では、基地局装置１２は、ＤＳ−ＣＤＭＡ方式に規定されているＢａｎｄ１〜Ｂａｎｄ７のいずれかの周波数帯を用いて、基地局装置１２がどの事業者に属するか等の情報を含む報知情報を、無線移動局装置１１に対して常時送信している。無線移動局装置１１は、前記Ｂａｎｄ１〜Ｂａｎｄ７の周波数帯に対して、全ての周波数による基地局探索処理を実行する。
【００１２】
図２は、本発明に係る無線移動局装置の構成例を示す図である。  
本例の無線移動局装置１１は、移動通信システムにおける移動局であって、無線送受信部２０１と、ベースバンド信号処理部２０２と、主制御部２１０と、表示装置２０５と、音声入力装置２０６と、音声出力装置２０７と、他入力装置２０８とを備えている。また、主制御部２１０は、機能として、アプリケーション部（ＡＰ部）２１１と、呼処理制御部（呼制御部）２１２と、受信強度判断部２１３と、通信方式判断部２１４と、受信品質判断部２１５と、基地局判断部２１６と、検索制御部２１７と、記憶部２１８とを備え、ハードウェア構成としては、ＣＰＵとメモリを備えている。
【００１３】
無線送受信部２０１は、基地局装置１２と無線移動局装置１１の間で無線通信される信号を送受信するものであって、無線周波数帯域の信号とベースバンド帯域の信号との帯域変換を行う。ベースバンド信号処理部２０２は、前記無線送受信部２０１によりベースバンド帯域に変換された信号のベースバンド受信処理、前記無線送受信部２０１を介し基地局に対してデータを送信するためのベースバンド送信処理、無線送受信部２０１で受信した受信信号の受信信号強度測定処理、該測定した受信信号強度に基づく受信品質の測定処理を行う。つまり、本例では、ベースバンド信号処理部２０２が、受信強度測定部及び受信品質測定部として機能する。具体的には、ベースバンド信号処理部２０２は、入力された受信信号の入力レベルから受信信号強度を算出する。また、ベースバンド信号処理部２０２は、算出した受信信号強度に基づいて、受信したい信号の受信信号強度と、それ以外の雑音などの受信信号強度との比から、受信品質を算出する。
【００１４】
表示装置２０５は、ＬＣＤ等により構成され、受信したデータや入力データ等を表示する。音声入力装置２０６は、マイクロフォン等により構成され、音声等の入力を受け付ける。音声出力装置２０７は、スピーカ等により構成され、受信した音声信号等を音として出力する。他入力装置２０８は、テンキーを含むキー等により構成され、キー入力等を受け付ける。
【００１５】
アプリケーション部２１１は、無線移動局装置１１が実行する通信アプリケーションに伴うデータの送受信処理を行う。  
呼処理制御部２１２は、無線移動局装置１１の呼処理を制御するものであって、ベースバンド信号処理部２０２でベースバンド処理された受信信号データを音声出力装置２０７へ出力したり、音声入力装置２０６から入力された音声データを、ベースバンド信号処理部２０２でベースバンド処理して、無線送受信部２０１を介して送信する。
【００１６】
受信強度判断部２１３は、前記ベースバンド信号処理部２０２で測定された受信信号強度に基づき、無線送受信部２０１で受信した同一周波数の受信信号の中に、受信信号強度が所定の基準値以上である受信信号があるか否かを判断する。  
通信方式判断部２１４は、無線送受信部２０１で受信した受信信号に基づき、該受信信号を送信した基地局装置１２の通信方式が、当該無線移動局装置１１と通信可能な通信方式であるか否かを判断する。  
受信品質判断部２１５は、前記ベースバンド信号処理部２０２で測定された受信品質に基づき、無線送受信部２０１で受信した受信信号の受信品質が所定の基準値以上であるか否かを判断する。  
基地局判断部２１６は、無線送受信部２０１で受信した受信情報（報知情報）に基づき、該受信情報を送信した基地局装置１２が、サービスを利用可能な基地局装置１２であるか否か、例えば、同じ事業者の基地局装置１２であるか否か等を判断し、利用可能な基地局装置１２を、有効な基地局装置１２と判断する。  
なお、上述した受信強度測定部、受信品質測定部、受信強度判断部２１３、通信方式判断部２１４、受信品質判断部２１５、及び基地局判断部２１６が、無線送受信部２０１が受信した受信信号に基づいて有効な基地局装置１２を検索する基地局検索部として機能する。  
記憶部２１８は、当該無線移動局装置１１が使用可能な複数の無線周波数を記憶する。
【００１７】
検索制御部２１７は、無線送受信部２０１の受信周波数を設定し、上記基地局検索部による基地局装置の検索処理を制御するものであり、無線送受信部２０１が受信可能な複数の受信周波数に対する検索処理を、上記基地局検索部に一つずつ実行させる。そして、検索制御部２１７は、上記基地局検索部によって有効な基地局装置が検索されなければ、他の受信周波数に対する検索処理を実行させる一方、上記基地局検索部によって有効な基地局装置が検索されると、当該基地局装置を通信相手に設定するとともに、上記基地局検索部による検索処理を終了させる。
【００１８】
より具体的には、検索制御部２１７は、接続可能な基地局装置１２を探索（検索）するものであって、当該無線移動局装置１１の受信周波数を、前記記憶部２１８に記憶した使用可能な複数の無線周波数のうちの第１の周波数に設定し、該設定した周波数の信号を基地局装置１２から受信すると、前記受信強度判断部２１３に、受信信号の受信信号強度が基準値以上であるか否か、あるいは、受信した同一周波数の受信信号の中に、受信信号強度が基準値以上である受信信号があるか否かを判断させ、次に、前記通信方式判断部２１４に、受信信号を送信した基地局装置１２の通信方式が、当該無線移動局装置１１と通信可能な通信方式であるか否かを判断させ、次に、前記受信品質判断部２１５に、受信信号の受信品質が基準値以上であるか否かを判断させ、次に、前記基地局判断部２１６に、受信情報を送信した基地局装置１２が利用可能な基地局装置１２であるか否かを判断させるよう、前記受信強度判断部２１３、前記通信方式判断部２１４、前記受信品質判断部２１５、前記基地局判断部２１６の順で判断を行わせるように制御し、前記各判断部のいずれかにおいて、基地局装置１２と接続可能とするための判断基準を満足しない場合は、前記設定した第１の受信周波数における探索を打ち切り、当該無線移動局装置１１の受信周波数を、前記記憶部２１８に記憶した使用可能な他の無線周波数に設定し、前記各判断部に前記の順で判断を行わせ、前記各判断部の全てにおいて、基地局装置１２と接続可能とするための判断基準を満足した場合は、該判断基準を満足した基地局装置１２と接続するとともに、他の基地局装置１２に対する基地局探索処理を終了する。  
また、主制御部２１０は、無線送受信部２０１、ベースバンド信号処理部２０２、表示装置２０５、音声入力装置２０６、音声出力装置２０７、他入力装置２０８を統括制御する。
【００１９】
次に、本例の無線移動局装置１１の基地局探索動作、及びその制御方法に関し、図３のフローチャートを用いて説明する。  
まず、検索制御部２１７が、無線移動局装置１１の無線送受信部２０１の受信周波数を、前記記憶部２１８に記憶した使用可能な複数の無線周波数のうちの第１の周波数に設定する（ステップＳ１）。次いで、該設定した受信周波数の信号を基地局装置１２から受信すると、該受信信号の受信信号強度を前記ベースバンド信号処理部２０２で測定する（ステップＳ２）。同一の受信周波数の受信信号が複数検出されたときは、その全てについて、受信信号強度を測定する。次に、測定した受信信号の中に、受信信号強度が一定の基準値以上である電波があるかどうかを、前記受信強度判断部２１３が判断する（ステップＳ３）。受信信号強度が基準値以上の電波がない場合（ステップＳ３でＮｏ）は、その電波を送信した基地局装置１２を無線移動局装置１１と接続可能とするための判断基準を満足しないため、前記無線送受信部２０１に設定した第１の受信周波数における以降の判断、すなわち、前記通信方式判断部２１４、前記受信品質判断部２１５、前記基地局判断部２１６による判断を行わず、当該無線移動局装置１１の受信周波数を、前記記憶部２１８に記憶した使用可能な他の第２の無線周波数に設定する（ステップＳ１０）。なお、記憶部２１８に記憶した使用可能な全ての無線周波数について、受信信号強度が基準値以上の電波がない場合は、本探索処理を終了する。
【００２０】
測定した受信信号の中に、受信信号強度が基準値以上である電波がある場合（ステップＳ３でＹｅｓ）は、そのうちの１つの電波の受信信号について、該受信信号を送信した基地局装置１２の通信方式が、当該無線移動局装置１１と通信可能な通信方式であるか否かを、通信方式判断部２１４が判断する（ステップＳ４）。例えば、基地局装置１２から送信されてきた受信信号の通信方式が、ＰＤＣ（Ｐｅｒｓｏｎａｌ  Ｄｉｇｉｔａｌ  Ｃｅｌｌｕｌａｒ）方式の場合には、移動局装置１１の通信方式であるＤＳ−ＣＤＭＡ方式と異なるので、通信可能な通信方式ではないと判断する。具体的には、無線送受信部２０１で受信した電波を復調できず、ノイズになるような場合は、通信可能な通信方式ではないと判断することができる。
【００２１】
受信信号を送信した基地局装置１２の通信方式が、当該無線移動局装置１１と通信可能な通信方式でない場合（ステップＳ４でＮｏ）は、該受信信号の電波は、接続可能とするための判断基準を満足しないため、前記設定した第１の受信周波数と同一周波数において、受信信号強度が基準値以上である電波が他に存在するかを、受信強度判断部２１３が判断（ステップＳ９）する。受信信号強度が基準値以上である電波が他に存在しない場合（ステップＳ９でＮｏ）は、前記設定した第１の受信周波数における以降の判断、すなわち、前記受信品質判断部２１５、前記基地局判断部２１６による判断を行わず、当該無線移動局装置１１の受信周波数を、前記記憶部２１８に記憶した他の無線周波数に設定する（ステップＳ１０）。同一受信周波数で受信信号強度が基準値以上である電波が他に存在する場合（ステップＳ９でＹｅｓ）は、ステップＳ４へ戻り、当該他の電波を送信した基地局装置１２の通信方式が、無線移動局装置１１と通信可能な通信方式であるか否かを、通信方式判断部２１４が判断する。
【００２２】
受信信号を送信した基地局装置１２の通信方式が、当該無線移動局装置１１と通信可能な通信方式である場合（ステップＳ４でＹｅｓ）は、受信した電波の受信品質を前記ベースバンド信号処理部２０２で測定し（ステップＳ５）、測定した受信品質が基準値以上であるかどうかを、前記受信品質判断部２１５で判断する（ステップＳ６）。受信した電波の受信品質が基準値以上でない場合（ステップＳ６でＮｏ）は、接続可能とするための判断基準を満足しないため、前記ステップＳ９に遷移する。
【００２３】
受信した電波の受信品質が基準値以上である場合（ステップＳ６でＹｅｓ）は、基地局判断部２１６が、基地局装置１２から受信した受信情報、例えば報知情報を読み取って分析し、該報知情報を送信した基地局装置１２が、利用可能な基地局装置１２であるか否かを判断する（ステップＳ７）。報知情報には、該基地局がどの事業者に属するかを示す情報等が含まれている。報知情報を送信した基地局装置１２が、利用可能な基地局装置１２でない場合（ステップＳ７でＮｏ）は、接続可能とするための判断基準を満足しないため、前記ステップＳ９に遷移する。
【００２４】
報知情報を送信した基地局装置１２が、利用可能な基地局装置１２である場合（ステップＳ７でＹｅｓ）は、検索制御部２１７が、当該基地局装置１２を接続相手の基地局として決定し（ステップＳ８）、基地局探索処理を終了する。したがって、他に接続可能な基地局装置が存在したとしても、それらの基地局探索処理は行わない。
【００２５】
このように、検索制御部２１７が、設定した受信周波数の信号を基地局装置１２から受信すると、前記受信強度判断部２１３、前記通信方式判断部２１４、前記受信品質判断部２１５、前記基地局判断部２１６の順で判断を行わせるように制御し、前記各判断部のいずれかにおいて、基地局装置１２と接続可能とするための判断基準を満足しない場合は、前記判断基準を満足しなかった判断部までで、前記設定した受信周波数における探索を打ち切り、当該無線移動局装置１１の受信周波数を、前記記憶部２１８に記憶した使用可能な他の無線周波数に設定し、前記各判断部に前記の順で判断を行わせるように制御するので、処理時間がかかる、又は、消費電力が多い通信方式判断部２１４、受信品質判断部２１５、基地局判断部２１６の手順を実施する回数を減らすことができ、処理時間の短縮や低消費電力化を実現することができる。特に、受信品質判断部２１５の処理は、受信強度判断部２１３の処理に比べて大きな電力を消費するので、受信品質判断部２１５の処理を受信強度判断部２１３の処理よりも後段で実施することにより、低消費電力化を図ることができる。
【００２６】
次に、本発明を、図４に示す具体例に基づき説明する。  
図４は、本発明の実施例における、移動局周辺の基地局の状況を示す図である。図４の例では、移動局周辺の基地局として、Ａ１〜Ａ３、Ｂ１〜Ｂ６の９つの基地局装置が存在する。移動局装置が送受信可能な周波数帯は、Ｂａｎｄ１〜７のうち、Ｂａｎｄ１、Ｂａｎｄ２のみとし、それ以外の周波数帯は受信できないものとする。また、基地局Ａ１〜Ａ３は、移動局装置とは事業者が異なるため利用できない基地局であり、また、無線通信方式が異なる基地局とする。接続を可能とする有効な電波と認定する基準値は、受信信号強度が−９０（ｄＢ）以上、受信品質が−１５（ｄＢｍ）以上とする。
【００２７】
始めに、周波数Ｆ１に関して基地局探索を行う。無線移動局装置１１の記憶部２１８には、通信可能な周波数帯として、Ｆ１〜Ｆ４が記憶されている。まず、検索制御部２１７が、無線送受信部２０１の受信周波数を、前記記憶部２１８に記憶した使用可能な複数の無線周波数Ｆ１〜Ｆ４のうちの１つであるＦ１に設定する（図３のステップＳ１）。  
図４に示すとおり、周波数Ｆ１の基地局装置はＡ１、Ａ２の２つであり、無線移動局装置１１は、基地局装置Ａ１、Ａ２から周波数Ｆ１の受信信号を受信して、受信信号強度を前記ベースバンド信号処理部２０２で測定し（図３のステップＳ２）、受信信号強度が基準値である−９０（ｄＢ）以上の電波があるかどうかを、前記受信強度判断部２１３で判断する（図３のステップＳ３）。基地局装置Ａ１については、受信信号強度が−１００（ｄＢ）であり、基準値である−９０（ｄＢ）を満足しないので、接続可能とするための判断基準を満足しない。
【００２８】
基地局装置Ａ２については、受信信号強度が−８０（ｄＢ）であり、基準値である−９０（ｄＢ）を満足するので、受信信号強度が基準値以上である場合（図３のステップＳ３でＹｅｓ）に該当する。次に、基地局装置Ａ２の通信方式が、当該無線移動局装置１１と通信可能な通信方式であるか否かを、通信方式判断部２１４が判断する（図３のステップＳ４）。しかし、基地局Ａ２は、無線通信方式が異なる基地局であるので、接続可能とするための判断基準を満足しない。そして、検索制御部２１７は、周波数がＦ１で、受信信号強度が基準値以上である電波が他に存在しないので（図３のステップＳ９でＮｏ）、周波数Ｆ１における探索を打ち切り、無線送受信部２０１の受信周波数を、記憶部２１８に記憶した使用可能な他の無線周波数であるＦ２に設定する（図３のステップＳ１０）。
【００２９】
次に、周波数Ｆ２に関して基地局探索を行う。  
図４に示すとおり、周波数Ｆ１の基地局装置はＡ３、Ｂ１、Ｂ５であり、無線移動局装置１１は、基地局装置Ａ３、Ｂ１、Ｂ５から周波数Ｆ２の受信信号を受信して、受信信号強度を前記ベースバンド信号処理部２０２で測定し（図３のステップＳ２）、受信信号強度が基準値である−９０（ｄＢ）以上の電波があるかどうかを、前記受信強度判断部２１３が判断する（図３のステップＳ３）。
【００３０】
基地局装置Ａ３については、受信信号強度が−９０（ｄＢ）であり、基準値である−９０（ｄＢ）を満足する。次に、基地局装置Ａ３の通信方式が、当該無線移動局装置１１と通信可能な通信方式であるか否かを、通信方式判断部２１４が判断する（図３のステップＳ４）が、基地局Ａ３は、無線通信方式が異なる基地局であるので、接続可能とするための判断基準を満足しないため、検索制御部２１７は、次に、基地局装置Ｂ１についての判断を行う（図３のステップＳ９）。
【００３１】
基地局装置Ｂ１については、受信信号強度が−１００（ｄＢ）であり、基準値である−９０（ｄＢ）を満足しないので、接続可能とするための判断基準を満足しないため、検索制御部２１７は、次に、基地局装置Ｂ５についての判断を行う（図３のステップＳ９）。
【００３２】
基地局装置Ｂ５については、受信信号強度が−９０（ｄＢ）であり、基準値である−９０（ｄＢ）を満足するので、基地局装置Ｂ５の通信方式が、当該無線移動局装置１１と通信可能な通信方式であるか否かを、通信方式判断部２１４が判断する（図３のステップＳ４）。基地局装置Ｂ５は、無線移動局装置１１と通信可能な通信方式である（図３のステップＳ４でＹｅｓ）ので、基地局装置Ｂ５から受信した電波の受信品質を前記ベースバンド信号処理部２０２で測定する（図３のステップＳ５）。測定した受信品質が−２０（ｄＢｍ）であり、基準値の−１５（ｄＢｍ）未満である（図３のステップＳ６でＮｏ）ので、接続可能とするための判断基準を満足しない。検索制御部２１７は、周波数Ｆ２において、受信信号強度が一定の基準値以上である電波が他に存在しない（図３のステップＳ９でＮｏ）ので、周波数Ｆ２における探索を打ち切り、当該無線移動局装置１１の受信周波数を、前記記憶部２１８に記憶した使用可能な他の無線周波数であるＦ３に設定する（図３のステップＳ１０）。
【００３３】
次に、周波数Ｆ３に関して基地局探索を行う。  
図４に示すとおり、周波数Ｆ３の基地局装置はＢ２、Ｂ３、Ｂ６である。無線移動局装置１１は、基地局装置Ｂ２、Ｂ３、Ｂ６から周波数Ｆ３の受信信号を受信して、受信信号強度を前記ベースバンド信号処理部２０２で測定する（図３のステップＳ２）し、受信信号強度が基準値である−９０（ｄＢ）以上の電波があるかどうかを、前記受信強度判断部２１３で判断する（図３のステップＳ３）。
【００３４】
基地局装置Ｂ２については、受信信号強度が−８０（ｄＢ）であり、基準値である−９０（ｄＢ）を満足する。次に、基地局装置Ｂ２の通信方式が、当該無線移動局装置１１と通信可能な通信方式であるか否かを、通信方式判断部２１４が判断する（図３のステップＳ４）。基地局装置Ｂ２は、無線移動局装置１１と通信可能な通信方式である（図３のステップＳ４でＹｅｓ）ので、基地局装置Ｂ２から受信した電波の受信品質を前記ベースバンド信号処理部２０２で測定し（図３のステップＳ５）、前記受信品質判断部２１５で判断する（図３のステップＳ６）。基地局装置Ｂ２の受信品質が−１０（ｄＢｍ）であり、基準値の−１５（ｄＢｍ）以上である（図３のステップＳ６でＹｅｓ）ので、基地局判断部２１６が、基地局装置Ｂ２から受信した報知情報を読み取って分析し、該報知情報を送信した基地局装置Ｂ２が、利用可能な基地局装置であるか否かを判断する（図３のステップＳ７）。報知情報を送信した基地局装置Ｂ２は、サービスを利用可能な基地局装置１２である（図３のステップＳ７でＹｅｓ）ので、検索制御部２１７が、当該基地局装置Ｂ２を接続相手の基地局装置として決定し（図３のステップＳ８）、基地局探索処理を終了する。
【００３５】
本例では、図４に示すとおり、接続可能である有効な基地局装置は、基地局装置Ｂ２以外にも、基地局装置Ｂ３、Ｂ４が存在するが、最初に基地局装置Ｂ２を接続相手の基地局装置として決定すると、他の基地局装置が接続可能である有効な基地局装置であるか否かの基地局探索処理は打ち切って実行しないようにするものである。こうすることにより、基地局探索時間を短縮することができ、また、無線移動局装置の消費電力を低減することができる。
【００３６】
なお、上述の実施形態では、受信強度判断部２１３、通信方式判断部２１４、受信品質判断部２１５、基地局判断部２１６が順に判断を行う場合を例に挙げて説明した。しかし、本発明はこれに限定されるものではなく、受信強度判断部２１３、通信方式判断部２１４、基地局判断部２１６、受信品質判断部２１５の順に判断を行うように構成してもよく、この場合であっても、上述した実施形態と略同様の作用効果を得ることができる。
【００３７】
また、本発明は、本発明に係る処理を実行する移動局装置だけでなく、本発明に係る処理を実行する方法、システムとして、或いは、本発明に係る方法やシステムを実現するためのプログラムや当該プログラムを記録する記録媒体などとして把握することができる。また、本発明は、ＣＰＵがメモリに格納された制御プログラムを実行することにより制御する構成としてもよく、あるいは、ハードウエア回路として構成することもできる。
【符号の説明】
【００３８】
１１・・無線移動局装置、  １２・・基地局装置、  １３・・交換局、  １４・・公衆網、  ２０１・・無線送受信部、  ２０２・・ベースバンド信号処理部、  ２０３・・、  ２０５・・表示装置、  ２０６・・音声入力装置、  ２０７・・音声出力装置、  ２０８・・他入力装置、２１０・・主制御部、  ２１１・・アプリケーション部、  ２１２・・呼処理制御部、  ２１３・・受信強度判断部、  ２１４・・通信方式判断部、  ２１５・・受信品質判断部、  ２１６・・基地局判断部、  ２１７・・検索制御部、  ２１８・・記憶部。
【図１】
2010178121.tif 000003
【図２】
2010178121.tif 000004
【図３】
2010178121.tif 000005
【図４】
2010178121.tif 000006